(57)【要約】【課題】中継段における処理遅延時間を抑制しつつ、任意の中継段に対する制御・監視情報を一斉伝送する。【解決手段】ＳＴＬ／ＴＴＬ伝送パケットのＴＭＣＣ格納領域に、基本情報の他、放送ＴＳパケットのＡＣ１領域に割り当てるＡＣ１領域を規定しておく。上記伝送パケットにおけるＴＭＣＣ内ＡＣ１領域には、例えば各中継段を一斉に制御・監視するための制御・監視情報の伝送に利用することができる。この場合、伝送パケットのＴＭＣＣ内ＡＣ１領域に格納した一斉情報は、放送ＴＳパケットに変換する際に、ＴＭＣＣ領域内のＡＣ１領域に自動的に割り当てられ、局内伝送後、伝送パケットに変換する際に、伝送パケット内のＴＭＣＣ内ＡＣ１領域に自動的に割り当てられて送出されるため、全ての中継段に自動配信されることになり、各中継段で再重畳する必要がなくなる。【選択図】      図１
2004165753.tif 000002
【特許請求の範囲】
【請求項１】
放送ＴＳ（Ｔｒａｎｓｐｏｒｔ  Ｓｔｒｅａｍ）パケットをＳＴＬ（Ｓｔｕｄｉｏ  ｔｏ  Ｔｒａｎｓｍｉｔｔｅｒ  Ｌｉｎｋ）／ＴＴＬ（Ｔｒａｎｓｍｉｔｔｅｒ  ｔｏ  Ｔｒａｎｓｍｉｔｔｅｒ  Ｌｉｎｋ）で規定される伝送パケットに変換して、ＳＴＬ／ＴＴＬ回線で接続された複数の局間伝送により多段中継を行う地上デジタル放送ネットワークシステムにおいて、
前記伝送パケットには、予め任意の局に対する制御・監視情報を割り当てる特定領域が規定されているものとし、
前記複数の局は、
前記ＳＴＬ／ＴＴＬ回線からの伝送パケットを受信し復調する受信処理手段と、
この受信処理手段で復調された伝送パケットから、前記特定領域に重畳されている制御・監視情報を読み出すと共に、当該制御・監視情報を前記放送ＴＳパケットで規定されるＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）領域内の所定のＡＣ（Ａｕｘ  Ｃｈａｎｎｅｌ）領域に割り当てて前記伝送パケットを放送ＴＳパケットに変換する第１のパケット変換手段とを備えることを特徴とする地上デジタル放送ネットワークシステム。
【請求項２】
前記複数の局のうち少なくとも中継を行う局は、
前記第１のパケット変換手段から出力される放送ＴＳパケットを入力し、前記ＴＭＣＣ領域内の所定のＡＣ領域に割り当てられている制御・監視情報を前記特定領域に割り当てて前記伝送パケットに変換する第２のパケット変換手段と、
この第２のパケット変換手段の出力を変調し前記ＳＴＬ／ＴＴＬ回線に送出する送信処理手段とを備えることを特徴とする請求項１記載の地上デジタル放送ネットワークシステム。
【請求項３】
前記伝送パケットに規定される特定領域には、一斉用と個別用の制御・監視情報を同時にまたは選択的に割り当てるものとし、
前記第１のパケット変換手段は、前記伝送パケットから前記特定領域に重畳されている一斉用と個別用の制御・監視情報を読み出すことを特徴とする請求項２記載の地上デジタル放送ネットワークシステム。
【請求項４】
前記第２のパケット変換手段は、前記放送ＴＳパケットを伝送パケットに変換する際に、必要に応じて前記特定領域に割り当てられる個別用の制御・監視情報を差し替えることを特徴とする請求項３記載の地上デジタル放送ネットワークシステム。
【請求項５】
放送ＴＳ（Ｔｒａｎｓｐｏｒｔ  Ｓｔｒｅａｍ）パケットをＳＴＬ（Ｓｔｕｄｉｏ  ｔｏ  Ｔｒａｎｓｍｉｔｔｅｒ  Ｌｉｎｋ）／ＴＴＬ（Ｔｒａｎｓｍｉｔｔｅｒ  ｔｏ  Ｔｒａｎｓｍｉｔｔｅｒ  Ｌｉｎｋ）で規定される伝送パケットに変換して、ＳＴＬ／ＴＴＬ回線で接続された複数の局間伝送により多段中継を行う地上デジタル放送ネットワークシステムに用いられ、
予め任意の局に対する制御・監視情報を割り当てる特定領域を有することを特徴とするＳＴＬ／ＴＴＬ伝送パケット構造。
【請求項６】
前記伝送パケットに規定される特定領域は、一斉用と個別用の制御・監視情報を割り当てる複数の領域を有することを特徴とする請求項５記載のＳＴＬ／ＴＴＬ伝送パケット構造。
【請求項７】
前記伝送パケットに規定される特定領域には、一斉用と個別用の制御・監視情報が時分割で割り当てられることを特徴とする請求項５記載のＳＴＬ／ＴＴＬ伝送パケット構造。
【請求項８】
放送ＴＳ（Ｔｒａｎｓｐｏｒｔ  Ｓｔｒｅａｍ）パケットをＳＴＬ（Ｓｔｕｄｉｏ  ｔｏ  Ｔｒａｎｓｍｉｔｔｅｒ  Ｌｉｎｋ）／ＴＴＬ（Ｔｒａｎｓｍｉｔｔｅｒ  ｔｏ  Ｔｒａｎｓｍｉｔｔｅｒ  Ｌｉｎｋ）で規定される伝送パケットに変換して、ＳＴＬ／ＴＴＬ回線で接続された複数の局間伝送により多段中継を行う地上デジタル放送ネットワークシステムの局内受信処理部に用いられ、
前記伝送パケットには、予め任意の局に対する制御・監視情報を割り当てる特定領域が規定されているものとし、
前記局内で受信復調された伝送パケットから、前記特定領域に重畳されている制御・監視情報を読み出すと共に、当該制御・監視情報を前記放送ＴＳパケットで規定されるＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）領域内の所定のＡＣ（Ａｕｘ  Ｃｈａｎｎｅｌ）領域に割り当てて前記伝送パケットを放送ＴＳパケットに変換することを特徴とするパケット変換装置。
【請求項９】
放送ＴＳ（Ｔｒａｎｓｐｏｒｔ  Ｓｔｒｅａｍ）パケットをＳＴＬ（Ｓｔｕｄｉｏ  ｔｏ  Ｔｒａｎｓｍｉｔｔｅｒ  Ｌｉｎｋ）／ＴＴＬ（Ｔｒａｎｓｍｉｔｔｅｒ  ｔｏ  Ｔｒａｎｓｍｉｔｔｅｒ  Ｌｉｎｋ）で規定される伝送パケットに変換して、ＳＴＬ／ＴＴＬ回線で接続された複数の局間伝送により多段中継を行う地上デジタル放送ネットワークシステムの局内送信処理部に用いられ、
前記伝送パケットには、予め任意の局に対する制御・監視情報を割り当てる特定領域が規定されているものとし、
前記局内で受信復調された伝送パケットを前記放送ＴＳパケットに変換する際に、前記伝送パケットの特定領域に重畳されている制御・監視情報を前記放送ＴＳパケットで規定されるＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）領域内の所定のＡＣ（Ａｕｘ  Ｃｈａｎｎｅｌ）領域に割り当てられた放送ＴＳパケットを入力し、前記ＴＭＣＣ領域内の所定のＡＣ領域に割り当てられている制御・監視情報を前記特定領域に割り当てて前記伝送パケットに変換することを特徴とするパケット変換装置。
【請求項１０】
放送ＴＳ（Ｔｒａｎｓｐｏｒｔ  Ｓｔｒｅａｍ）パケットをＳＴＬ（Ｓｔｕｄｉｏｔｏ  Ｔｒａｎｓｍｉｔｔｅｒ  Ｌｉｎｋ）／ＴＴＬ（Ｔｒａｎｓｍｉｔｔｅｒ  ｔｏ  Ｔｒａｎｓｍｉｔｔｅｒ  Ｌｉｎｋ）で規定される伝送パケットに変換して、ＳＴＬ／ＴＴＬ回線で接続された複数の局間伝送により多段中継を行う地上デジタル放送ネットワークシステムの制御・監視情報伝送方法において、
前記伝送パケットに予め任意の局に対する制御・監視情報を割り当てる特定領域を規定し、
前記複数の局にて、
前記ＳＴＬ／ＴＴＬ回線からの伝送パケットを受信し復調して得られた伝送パケットから、前記特定領域に重畳されている制御・監視情報を読み出すと共に、当該制御・監視情報を前記放送ＴＳパケットで規定されるＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）領域内の所定のＡＣ（Ａｕｘ  Ｃｈａｎｎｅｌ）領域に割り当てて前記伝送パケットを放送ＴＳパケットに変換し、
この放送ＴＳパケットを入力し、前記ＴＭＣＣ領域内の所定のＡＣ領域に割り当てられている制御・監視情報を前記特定領域に割り当てて前記伝送パケットに変換した後、変調して前記ＳＴＬ／ＴＴＬ回線に送出することを特徴とする地上デジタル放送ネットワークシステムの制御・監視情報伝送方法。
【請求項１１】
前記伝送パケットに規定される特定領域には、一斉用と個別用の制御・監視情報を同時にまたは選択的に割り当てるものとし、
前記ＳＴＬ／ＴＴＬ回線からの伝送パケットを受信した局は、当該伝送パケットから前記特定領域に重畳されている一斉用と個別用の制御・監視情報を読み出すことを特徴とする請求項１０記載の地上デジタル放送ネットワークシステムの制御・監視情報伝送方法。
【請求項１２】
前記ＳＴＬ／ＴＴＬ回線へ前記伝送パケットを送出する局は、前記放送ＴＳパケットを伝送パケットに変換する際に、必要に応じて前記特定領域に割り当てられる個別用の制御・監視情報を差し替えることを特徴とする請求項１１記載の地上デジタル放送ネットワークシステムの制御・監視情報伝送方法。
【請求項１３】
前記伝送パケットに規定される特定領域は、前記一斉用と個別用の制御・監視情報を割り当てる複数の領域を有することを特徴とする請求項１１記載の地上デジタル放送ネットワークシステムの制御・監視情報伝送方法。
【請求項１４】
前記伝送パケットに規定される特定領域には、前記一斉用と個別用の制御・監視情報が時分割で割り当てられることを特徴とする請求項１１記載の地上デジタル放送ネットワークシステムの制御・監視情報伝送方法。
【請求項１５】
前記制御・監視情報は、送信機オン・オフ制御、送信系統切り替え、送信遅延時間調整、変調器パラメータ、ＴＴＬ送信系切り替え、ＴＴＬ送信機及び受信機リセット、受信系統切り替えの少なくともいずれかであることを特徴とする請求項２記載の地上デジタル放送ネットワークシステム。
【請求項１６】
前記制御・監視情報は、状態情報であることを特徴とする請求項２記載の地上デジタル放送ネットワークシステム。
【請求項１７】
前記複数の局は、前記受信伝送パケットから前段からの状態情報を読み出し、この状態情報に自局の状態情報を含めて前記送信伝送パケット上の状態情報と差し替えることを特徴とする請求項１６記載の地上デジタル放送ネットワークシステム。
【発明の詳細な説明】
【０００１】
【発明の属する技術分野】
本発明は、地上デジタル放送の多段中継伝送を行う地上デジタル放送ネットワームシステムに係り、特にＳＴＬ／ＴＴＬ伝送パケット構造、パケット変換処理装置、制御・監視情報伝送方法に関する。
【０００２】
【従来の技術】
我が国では、近時、地上デジタル放送の運用開始が予定されている。この地上デジタル放送における中継伝送では、従来のアナログ放送とは異なり、放送波を利用するのではなく、マイクロ波回線、光回線などの別回線によるＳＴＬ（Ｓｔｕｄｉｏ  ｔｏ  Ｔｒａｎｓｍｉｔｔｅｒ  Ｌｉｎｋ）またはＴＴＬ（Ｔｒａｎｓｍｉｔｔｅｒ  ｔｏ  Ｔｒａｎｓｍｉｔｔｅｒ  Ｌｉｎｋ）を利用し、多段中継することが想定されている。
【０００３】
このような多段中継伝送を行う放送ネットワークシステムにおいて、現在、ＴＳ（Ｔｒａｎｓｐｏｒｔ  Ｓｔｒｅａｍ）パケット−ＳＴＬ／ＴＴＬ伝送パケット相互間のフォーマット構造の検討が進められている。この検討内容において、特に中継段に制御・監視情報をどのように伝送していくかが一つの課題となっている。現段階では、ＴＳ−ＳＴＬ／ＴＴＬ伝送において、１回線（一対向）単位での検討がなされているが、多段中継における制御・監視情報の一斉伝送の仕様が争点となっている。
【０００４】
すなわち、中継を行う局内では、受信したＳＴＬ／ＴＴＬ伝送パケットを一度放送ＴＳパケットの形式に変換し、制御・監視情報を一度取り出さなくてはならない。このため、後段の中継局へ制御監視情報を送る場合には、放送ＴＳパケットをＴＴＬ伝送パケットに変換する際に、再度制御・監視情報を重畳する処理が必要となる。したがって、１回線単位での制御監視情報伝送では、中継段数が増えるに従って再重畳処理による遅延時間が蓄積されてしまう。
【０００５】
尚、本明細書において、「中継局」とは、情報を中継伝送する局を意味し、例えば親局と子局との関係だけでなく、親局同士でも情報を中継伝送する場合にはこれを含むものとする。
【０００６】
【発明が解決しようとする課題】
本発明は上記の事情に鑑みてなされたもので、地上デジタル放送の多段中継伝送を行う際に、中継段における処理遅延時間を抑制しつつ、任意の中継段に対する制御・監視情報を一斉伝送することのできる地上デジタル放送ネットワークシステムと、ＳＴＬ／ＴＴＬ伝送パケット構造と、パケット変換処理装置と制御・監視情報伝送方法を提供することを目的とする。
【０００７】
【課題を解決するための手段】
上記目的を達成するために、本発明に係る地上デジタル放送ネットワークシステムは、放送ＴＳ（Ｔｒａｎｓｐｏｒｔ  Ｓｔｒｅａｍ）パケットをＳＴＬ（Ｓｔｕｄｉｏ  ｔｏ  Ｔｒａｎｓｍｉｔｔｅｒ  Ｌｉｎｋ）／ＴＴＬ（Ｔｒａｎｓｍｉｔｔｅｒ  ｔｏ  Ｔｒａｎｓｍｉｔｔｅｒ  Ｌｉｎｋ）で規定される伝送パケットに変換して、ＳＴＬ／ＴＴＬ回線で接続された複数の局間伝送により多段中継を行うシステムに適用される。
【０００８】
前記伝送パケットには、予め任意の局に対する制御・監視情報を割り当てる特定領域が規定されているものとする。
【０００９】
前記複数の局は、前記ＳＴＬ／ＴＴＬ回線からの伝送パケットを受信し復調する受信処理手段と、この受信処理手段で復調された伝送パケットから、前記特定領域に重畳されている制御・監視情報を読み出すと共に、当該制御・監視情報を前記放送ＴＳパケットで規定されるＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）領域内の所定のＡＣ（Ａｕｘ  Ｃｈａｎｎｅｌ）領域に割り当てて前記伝送パケットを放送ＴＳパケットに変換する第１のパケット変換手段とを備えることを特徴とする。
【００１０】
また、前記複数の局のうち少なくとも中継を行う局は、前記第１のパケット変換手段から出力される放送ＴＳパケットを入力し、前記ＴＭＣＣ領域内の所定のＡＣ領域に割り当てられている制御・監視情報を前記特定領域に割り当てて前記伝送パケットに変換する第２のパケット変換手段と、この第２のパケット変換手段の出力を変調し前記ＳＴＬ／ＴＴＬ回線に送出する送信処理手段とを備えることを特徴とする。
【００１１】
前記伝送パケットに規定される特定領域には、一斉用と個別用の制御・監視情報を同時にまたは選択的に割り当てるものとし、前記ＳＴＬ／ＴＴＬ回線からの伝送パケットを受信した局は、当該伝送パケットから前記特定領域に重畳されている一斉用と個別用の制御・監視情報を読み出すことを特徴とする。
【００１２】
前記ＳＴＬ／ＴＴＬ回線へ前記伝送パケットを送出する局は、前記放送ＴＳパケットを伝送パケットに変換する際に、必要に応じて前記特定領域に割り当てられる個別用の制御・監視情報を差し替えることを特徴とする。
【００１３】
前記制御・監視情報は、送信機オン・オフ制御、送信系統切り替え、送信遅延時間調整、変調器パラメータ、ＴＴＬ送信系切り替え、ＴＴＬ送信機及び受信機リセット、受信系統切り替えの少なくともいずれか、あるいは状態（ステータス）情報であることを特徴とする。
【００１４】
すなわち、本発明に係る地上デジタル放送ネットワークシステムでは、制御・監視情報をＳＴＬ／ＴＴＬ伝送パケット内に割り当てて後段へそのまま、あるいは差し替えて送信し、後段の中継局では受信した伝送パケット内の制御・監視情報を放送ＴＳパケット内のダミーバイトに重畳されるＡＣ領域に乗せ変え、同時に局内の被制御装置へ制御情報を入力する。さらに、後段の中継局へは、前述の放送ＴＳパケットを再度伝送パケットに変換し送信する。
【００１５】
これにより、従来では不可能であったＳＴＬ／ＴＴＬ（無線、光伝送を含む）にて多段接続された放送ネットワーク上の各放送中継局、ＴＴＬ中継局等への一斉・個別制御を低遅延で行うことが可能となる。例えば、放送送信機の動作制御や電波発射タイミングの遅延調整制御に代表される演奏所からの一斉及び個別の局単位での制御・監視が可能となる。さらに、前段から後段の中継局への制御・監視情報も差し替え等により伝送することが可能となる。その場合、前段までの情報を含めた自局のステータス情報を含めて後段の中継局へ伝送することで、監視情報の集約伝送等が可能となる。
【００１６】
【発明の実施の形態】
以下、図面を参照して本発明の実施の形態を詳細に説明する。
【００１７】
始めに、現在の局内伝送に用いられる放送ＴＳパケットと本発明によるＳＴＬ／ＴＴＬ伝送パケットの関係について説明する。
【００１８】
図１（ａ）は局内伝送で用いられる放送ＴＳパケットのフォーマット構造を示し、図１（ｂ）はＳＴＬ／ＴＴＬ回線による局間伝送で使用される伝送パケットのフォーマット構造を示している。
【００１９】
放送ＴＳパケット（２０４バイト）は、番組ＴＳ格納領域（１８８バイト）、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）格納領域（８バイト）、パリティ格納領域（８バイト）で構成される。ＴＭＣＣ格納領域には、基本情報の他、任意の制御情報を格納するための４個のＡＣ（Ａｕｘ  Ｃｈａｎｎｅｌ）領域ＡＣ１〜ＡＣ４が規定されている。
【００２０】
これに対し、本発明に係るＳＴＬ／ＴＴＬ伝送パケット（２１０バイト）は、波形等化信号格納領域（１バイト）、番組ＴＳ格納領域（１８８バイト）、ＴＭＣＣ格納領域（５バイト）、任意の付加情報を格納するための２個のＣＣ（Ｃｏｎｔｒｏｌ  Ｃｈａｎｎｅｌ）格納領域ＣＣ１，ＣＣ２、パリティ格納領域を備えるものと規定する。ＴＭＣＣ格納領域には、基本情報の他、放送ＴＳパケットのＡＣ１領域に割り当てるＡＣ１領域（１バイト）を規定しておく。尚、ＣＣ（Ｃｏｎｔｒｏｌ  Ｃｈａｎｎｅｌ）は本発明を説明するために便宜的に定義したもので、今後、呼称が変更されることもあり得る。
【００２１】
上記伝送パケットにおけるＴＭＣＣ内ＡＣ１領域には、例えば各中継段を一斉に制御・監視するための制御・監視情報（以下、一斉情報）の伝送に利用することができる。この場合、伝送パケットのＴＭＣＣ内ＡＣ１領域に格納した一斉情報は、放送ＴＳパケットに変換する際に、ＴＭＣＣ領域内のＡＣ１領域に自動的に割り当てられ、局内伝送後、伝送パケットに変換する際に、伝送パケット内のＴＭＣＣ内ＡＣ１領域に自動的に割り当てられて送出されるため、全ての中継段に自動配信されることになり、各中継段で再重畳する必要がなくなる。
【００２２】
また、上記伝送パケットにおけるＣＣ１，ＣＣ２領域には、例えば任意の中継段を個別に制御・監視するための制御・監視情報（以下、個別情報）の伝送に利用することができる。この場合、各中継段で次段の制御・監視を行うために個別情報の差し替えが可能となる。
【００２３】
尚、上記伝送パケットのＣＣ１，ＣＣ２領域は任意であり、その個数、使用方法も任意である。例えば、領域毎に異なる情報を割り当てる、１つの領域に対して複数の情報を時分割で使用するといったことも考えられる。また、ＣＣ１，ＣＣ２の領域情報は、各中継段において、放送ＴＳパケットのＴＭＣＣ格納領域に存在するＡＣ２〜ＡＣ４の予め決められた領域に自動割り当てするようにしてもよい。
【００２４】
図２は、上記のＴＳ−ＳＴＬ／ＴＴＬパケットを利用した中継局の基本構成を示すブロック図である。
【００２５】
図２において、受信アンテナ１１で受けたＳＴＬ／ＴＴＬ回線からの伝送パケット（ＲＦ）は受信部１２で受信され、中間周波（ＩＦ）に周波数変換されて復調部１３に送られ、復調される。ここで復調された伝送パケットは、受信側パケット変換部１４に送られる。
【００２６】
この受信側パケット変換部１４では、図１（ｂ）に示した形式の伝送パケットを図１（ａ）に示した形式の放送ＴＳパケットに変換する。このとき、伝送パケットのＡＣ１，ＣＣ１，ＣＣ２の各領域に重畳されている制御・監視情報を読み出して被制御装置１５に送り、適宜制御・監視処理を施すものとする。また、伝送パケットのＡＣ１，ＣＣ１，ＣＣ２の各領域に重畳されている制御・監視情報をそのまま放送ＴＳパケットのＴＭＣＣ格納領域に設けられているＡＣ１〜ＡＣ３の領域に割り当てる。
【００２７】
以上のように変換された放送ＴＳパケットは、局内伝送路を介して送信側パケット変換部１６に送られる。この送信側パケット変換部１６では、受信側とは逆に、放送ＴＳパケットを伝送パケットの形式に変換する。このとき、放送ＴＳパケットのＴＭＣＣ格納領域内のＡＣ１領域に格納されている制御・監視情報は、伝送パケットのＡＣ１領域に自動的に割り当てる。他のＡＣ２，ＡＣ３領域に格納されている制御・監視情報は、必要に応じて伝送パケットのＣＣ１，ＣＣ２領域に割り当て、場合によっては他の制御・監視情報と差し替えて格納する。
【００２８】
以上のように変換された伝送パケットは、変調部１７で変調されてＩＦ帯伝送パケットとなり、送信部１８でＲＦ帯に周波数変換され、電力増幅されて、送信アンテナ１９から後段の中継局に向けて送出される。
【００２９】
上記構成によれば、各中継局に対して一斉制御・監視を行いたい場合に、伝送パケットのＡＣ１領域に一斉情報を重畳することで、各中継局内で自動的に放送ＴＳに割り当てられ、再度伝送パケットのＡＣ１領域に乗せられるため、各中継局で一斉情報を読み出し、適宜制御・監視を行うことが可能となる。また、任意の中継局に対して制御・監視を行いたい場合には、伝送パケットのＣＣ１，ＣＣ２領域を利用することで実現可能である。この場合、局内で放送ＴＳパケットに変換する際に再送情報をいったん取り出し、伝送パケットに変換する際に再重畳する必要がないため、低遅延化を実現することができる。
【００３０】
以下、具体的な運用例について説明する。
【００３１】
図３は本発明が適用される地上デジタル放送ネットワークシステムの構成を示すもので、ここでは演奏所Ａ、送信所Ｂ、中間中継局Ｃ、終段中継局Ｄの順に地上デジタル放送の放送番組が中継伝送されるものとして説明する。
【００３２】
演奏所Ａでは、ＳＴＬ送信機Ａ１において、放送番組が乗せられた放送ＴＳパケットを前述のフォーマットによるＳＴＬ伝送パケットに変換してＳＴＬ回線により送信所Ｂに向けて送信する。そのパケット変換の際に、各局に一斉伝送する制御・監視情報を伝送パケットのＴＭＣＣ領域内のＡＣ１領域に乗せる。ここでは、制御情報としては、各中継局の放送送信機に対するオン・オフ制御、系統切り替え、遅延時間制御等を想定し、監視情報としては、アラーム情報（ここではステータス情報の一つと定義する）等を想定する。
【００３３】
送信所Ｂでは、ＳＴＬ受信機Ｂ１において、演奏所ＡからのＳＴＬ伝送パケットを受信復調した後、放送ＴＳパケットに変換して、送信所内の伝送路に出力する。このとき、ＳＴＬ伝送パケットのＴＭＣＣ内ＡＣ１領域から制御・監視情報を読み出して、送信制御装置（図２の被制御装置に相当）Ｂ２に与え、演奏所Ａ側からの遠隔制御・監視等を実行可能とする。また、ＳＴＬ伝送パケットを放送ＴＳパケットに変換する際には、ＳＴＬ伝送パケットのＴＭＣＣ内ＡＣ１領域に乗せられている制御・監視情報を放送ＴＳパケット中のＴＭＣＣ内ＡＣ１領域に自動的に割り当てる。
【００３４】
送信所Ｂでは、ＴＴＬ送信機Ｂ３において、放送ＴＳパケットをＴＴＬ伝送パケットに変換してＴＴＬ回線により後段の中継局Ｃに向けて送信する。そのパケット変換の際に、放送ＴＳパケットのＴＭＣＣ領域のＡＣ１領域に乗せられている制御・監視情報を自動的にＴＴＬ伝送パケットのＴＭＣＣ内ＡＣ１領域に割り当てる。また、アラーム情報をＴＴＬ伝送パケットのＣＣ１またはＣＣ２領域に乗せる。
【００３５】
中間中継局Ｃでは、ＴＴＬ受信機Ｃ１において、送信所ＢからのＴＴＬ伝送パケットを受信復調した後、放送ＴＳパケットに変換して、局内の伝送路に出力する。このとき、ＴＴＬ伝送パケットのＴＭＣＣ内ＡＣ１領域から制御・監視情報を読み出して、中継放送機（図２の被制御装置に相当）Ｃ２に与え、演奏所Ａ側からの遠隔制御・監視等を実行可能とする。また、ＴＴＬ伝送パケットを放送ＴＳパケットに変換する際には、ＴＴＬ伝送パケットのＴＭＣＣ内ＡＣ１領域に乗せられている制御・監視情報を放送ＴＳパケット中のＴＭＣＣ内ＡＣ１領域に自動的に割り当てられる。
【００３６】
中間中継局Ｃでは、ＴＴＬ送信機Ｃ３において、放送ＴＳパケットをＴＴＬ伝送パケットに変換してＴＴＬ回線により後段の中継局Ｄに向けて送信する。そのパケット変換の際に、放送ＴＳパケットのＴＭＣＣ内ＡＣ１領域に乗せられている制御・監視情報を自動的にＴＴＬ伝送パケットのＴＭＣＣ内ＡＣ１領域に割り当てる。また、アラーム監視装置Ｃ４において、受信したＴＴＬ伝送パケットのＣＣ１またはＣＣ２領域から前段からのアラーム情報を読み取り、自局のアラーム情報を含めて、送信ＴＴＬ伝送パケットのＣＣ１またはＣＣ２領域にあるアラーム情報と乗せ換える。
【００３７】
終段中継局Ｄでは、ＴＴＬ受信機Ｄ１において、前段の中継局ＣからのＴＴＬ伝送パケットを受信復調した後、放送ＴＳパケットに変換して、局内の伝送路に出力する。このとき、ＴＴＬ伝送パケットのＴＭＣＣ内ＡＣ１領域から制御・監視情報を読み出して、中継放送機（図２の被制御装置に相当）Ｄ２に与え、演奏所Ａ側からの遠隔制御・監視等を実行可能とする。また、ＴＴＬ伝送パケットを放送ＴＳパケットに変換する際には、ＴＴＬ伝送パケットのＴＭＣＣ領域のＡＣ１に乗せられている制御・監視情報を放送ＴＳパケット中のＴＭＣＣ内ＡＣ１領域に自動的に割り当てられる。また、アラーム監視装置Ｄ３において、受信したＴＴＬ伝送パケットのＣＣ１またはＣＣ２領域から前段からのアラーム情報を読み取り、自局のアラーム情報を含めて、電話回線等を通じて管理局（図示せず）へ通知する。
【００３８】
上記構成によるシステムによれば、演奏所Ａから送信所Ｂ、中継局Ｃ，Ｄの遠隔制御・監視が可能となる。また、アラーム情報を各局で自局情報を含めながら後段に伝送していくことが可能となり、集約監視が可能となる。
【００３９】
尚、上記実施形態では、制御情報として、各中継局の放送送信機に対するオン・オフ制御、系統切り替え、遅延時間制御等を想定し、監視情報として、アラーム情報等を想定したが、その他、以下の運用も考えられる。
【００４０】
まず、制御情報としては、ＳＴＬ／ＴＴＬ変調器の各種パラメータ制御、ＴＴＬ送信系統の切り替え、ＴＴＬ送受信機のリセット制御（何秒後にリセットするかの指定でもよい）、受信系統切り替え（ＴＴＬ受信系統の切り替え、放送波受信切り替え（放送波受信でもＴＴＬ制御を行う場合がある））がある。
【００４１】
また、監視情報としては、状態情報伝送トリガ送信が考えられる。これは、中継局障害時に電話回線異常で状態が把握できない場合に、後段の局へ状態情報を送信するように指示するトリガを送るという手法である。つまり、トリガを受け取った中継局は、状態情報をＴＴＬ伝送パケットに重畳し、後段の局へ送る。この後段の局が電話回線などの別回線で異常を通報できる場合、その回線により管理センタへ通報することが可能となる。
【００４２】
以上の例の中でも、特に送信機オン・オフ制御、送信遅延時間調整の一斉制御・監視は、電話回線では個別に対処しなければならず、中継段数が多い場合には非常に困難であることから、本発明による制御・監視情報の伝送方法は極めて有効である。
【００４３】
【発明の効果】
以上のように本発明によれば、地上デジタル放送の多段中継伝送を行う際に、中継段における処理遅延時間を抑制しつつ、任意の中継段に対する制御・監視情報を一斉伝送することのできる地上デジタル放送ネットワークシステムと、ＳＴＬ／ＴＴＬ伝送パケット構造と、パケット変換処理装置と制御・監視情報伝送方法を提供することができる。
【図面の簡単な説明】
【図１】本発明の一実施形態として、局内伝送で用いられる放送ＴＳパケットのフォーマット構造と本発明に係るＳＴＬ／ＴＴＬ回線による局間伝送で使用される伝送パケットのフォーマット構造を示す図。
【図２】上記のＴＳ−ＳＴＬ／ＴＴＬパケットを利用した中継局の基本構成を示すブロック図。
【図３】本発明の具体的な運用例として、本発明が適用される地上デジタル放送ネットワークシステムの構成を示すブロック図。
【符号の説明】
１１…受信アンテナ
１２…受信部
１３…復調部
１４…受信側パケット変換部
１５…被制御装置
１６…送信側パケット変換部
１７…変調部
１８…送信部
１９…送信アンテナ
Ａ…演奏所
Ａ１…ＳＴＬ送信機
Ｂ…送信所
Ｂ１…ＳＴＬ受信機
Ｂ２…送信制御装置
Ｂ３…ＴＴＬ送信機
Ｃ…中間中継局
Ｃ１…ＴＴＬ受信機
Ｃ２…中継放送機
Ｃ３…ＴＴＬ送信機
Ｃ４…アラーム監視装置
Ｄ…終段中継局
Ｄ１…ＴＴＬ受信機
Ｄ２…中継放送機
Ｄ３…アラーム監視装置
【図１】
2004165753.tif 000003
【図２】
2004165753.tif 000004
【図３】
2004165753.tif 000005